(57)【要約】  【課題】  簡単な構成で且つ作業工程を短縮することができ、それだけ、製造コストを低減することができ、また、光源より照射される光の強度の減衰を抑制することができるとともに、レンズと、ロッドトンネルとの相対位置の調節を省くことができ、それだけ、製造時間を短縮することができるレンズ接続ロッドトンネルを提供する。  【解決手段】  レンズ接続ロッドトンネルはロッドトンネル３とレンズ４とを有しており、ロッドトンネル３は直方体であり、レンズ４は一方が曲面４１で形成されており、他方が平面４２で形成され、ロッドトンネル３の出射面３２とレンズ４の平面４２は、紫外線を照射することで硬化するＵＶ接着剤にて接着固定されている。【選択図】      図２
2006133648.tif 000002
【特許請求の範囲】
【請求項１】
白色光を照射する白色ランプと、回転することで前記白色光をＲ／Ｇ／Ｂの波長の光に
分光する円盤状のカラーホイールと、前記液晶フィルタにて分光された光の光束密度を均
一化するロッドトンネルと、前記ロッドトンネルを出射する光の照射範囲を拡大するレン
ズと、前記レンズを透過した光を反射する反射板を備えたＤＭＤ（登録商標）と、光を吸
収する光吸収板と、光をスクリーンに投影する投影レンズとを有しており、
前記ロッドトンネルは断面長方形のプリズムであり、光が入射する端面は無反射処理さ
れており、
前記レンズの一方の面は曲面で形成され、他方の面は平面で形成されており、
前記ロッドトンネルの光が出射する端面と前記レンズの平面とは中心軸が重なるように
紫外線硬化性の接着剤で接着されていることを特徴とするプロジェクタ。
【請求項２】
白色光を照射する白色ランプと、回転することで前記白色光をＲ／Ｇ／Ｂの波長の光に
分光する円盤状のカラーホイールと、前記液晶フィルタにて分光された光の光束密度を均
一化するロッドトンネルと、前記ロッドトンネルを出射する光の照射範囲を拡大するレン
ズと、前記レンズを透過した光を反射する反射板を備えたＤＭＤ（登録商標）と、光を吸
収する光吸収板と、光をスクリーンに投影する投影レンズとを有しており、
前記ロッドトンネルの光が出射する面と前記レンズとが接続固定されていることを特徴
とするプロジェクタ。
【請求項３】
前記ロッドトンネルの中心軸と前記レンズの中心軸が所定の角度をなすように接着固定
されていることを特徴とする請求項２に記載のプロジェクタ。
【請求項４】
前記ロッドトンネルと前記レンズは一体で形成されていることを特徴とする請求項２又
は請求項３に記載のプロジェクタ。
【請求項５】
入射してきた光の光束密度を均一化するロッドトンネルと、
一方の面は曲面で、他方の面は平面で形成されたレンズとを有しており、
前記ロッドトンネルの光が入射する面は無反射処理が施されており、
前記ロッドトンネルの光が出射する面と前記レンズの平面とは該ロッドトンネルの中心
軸と該レンズの中心軸とが重なるように紫外線を照射することで硬化する接着剤にて接着
固定されていることを特徴とするレンズ接続ロッドトンネル。
【請求項６】
入射してきた光の光束密度を均一化するロッドトンネルと、
一方の面は曲面で、他方の面は平面で形成されたレンズとを有しており、
前記ロッドトンネルの光が出射する面と前記レンズとが接続固定されていることを特徴
とするレンズ接続ロッドトンネル。
【請求項７】
前記ロッドトンネルの中心軸と前記レンズの中心軸は接続部で所定の角度で交差するこ
とを特徴とする請求項５に記載のレンズ接続ロッドトンネル。
【請求項８】
前記ロッドトンネルと前記レンズは一体で形成されていることを特徴とする請求項６又
は請求項７に記載のレンズ接続ロッドトンネル。
【発明の詳細な説明】
【技術分野】
【０００１】
本発明は、  ＤＬＰ（Digital Light Processing）（登録商標）技術等を利用したプロ
ジェクタの光学系に利用されるものであり、光路上に配置され光束密度の均一化を図るた
めのロッドトンネル及び前記ロッドトンネルを透過してきた光を拡大するレンズに関する
ものである。
【背景技術】
【０００２】
ＤＬＰ（Digital Light Processing）（登録商標）技術を利用したプロジェクタは、半
導体素子に多数の反射板を配置したＤＭＤ（Digital Mirror Device）（登録商標）に光
を照射し、その反射光をレンズで拡大しスクリーンに投影するものである。
【０００３】
図７に従来のプロジェクタの概略配置図を示す。図７に示すプロジェクタＢは、光源で
ある白色ランプ９１と、光をＲＧＢの各成分の波長に順次偏光するカラーホイール９２と
、カラーホイール９２を透過した光の軸方向の光束密度を均一化する光学トンネル９３と
、光学トンネル９３より出射された光の照射範囲を拡大するレンズ９４と、光を反射する
ＤＭＤ（登録商標）９５と、投影レンズ９６と、光吸収板９７とを有している。
【０００４】
図８に従来の光学トンネル（ライトトンネル）の一例の斜視図を示す。図８に示すライ
トトンネル９３は、４枚の長方形の板状の鏡９３１が断面長方形状の空洞９３０を有する
筒状になるように接着されている。各板状の鏡９３１は反射面が内面になるように配置さ
れている。板状の鏡９３１はそれには限定されないが、紫外線を照射することで硬化する
接着剤を使用して接着固定している。
【０００５】
ライトトンネル９３の空洞の一方の開口部９３２にカラーホイール２にて色分解された
光が入射し、他方の開口部９３３より光束が均一化された光が出射される。ライトトンネ
ル９３より射出された光は、レンズ９４に照射されレンズ９４にて拡大されてＤＭＤ（登
録商標）９５に照射される。このとき、ライトトンネル９３の他方の開口部９３３とレン
ズ９４の間には間隙９４１が形成されている。
【０００６】
また、図９に従来の光学トンネル（ロッドトンネル）の他の例の斜視図を示す。図９に
示すロッドトンネル９８はガラス、クリスタル等で形成されたプリズムであり、断面長方
形を有する直方体で形成されている。直方体の一方の端面９８１にカラーホイール２にて
色分解された光が入射し、他方の端面９８２からロッドトンネル９８にて光束密度が均一
化された光が射出される。出射した光はレンズ９４に照射され拡大されてＤＭＤ（登録商
標）９５に照射される。このとき、ロッドトンネル９８の他方の端面９８２とレンズ９４
の間には間隙９４１が形成されている。また、ロッドトンネル９８の一方の端面９８１に
は無反射処理が施されており、カラーホイール９２から出射した光が一方の端面９８１で
反射されずに、ロッドトンネル９８に入射できるようになっている。
【特許文献１】特開2004-20603号公報
【特許文献２】特開2003-57514号公報
【特許文献３】特開2003-232974号公報
【発明の開示】
【発明が解決しようとする課題】
【０００７】
しかしながら、図８に示すライトトンネル９３では板状の鏡９３１を４枚張り合わせた
形状であり、ライトトンネル９３内の空洞９３０を通過する光は板状の鏡９３１で反射さ
れることで光束密度を均一化されるが、一部は鏡９３１にて反射されずに外部に透過して
しまう。板状の鏡９３１で反射せず透過することで光の強度が低下してしまう。
【０００８】
また、ライトトンネル９３は紫外線を照射することで硬化する接着剤を利用して板状の
鏡９３１を接着固定しているが、光学的なひずみが生じるのを防ぐために必要最小限の接
着剤を塗布して接着固定しているので、製造に高度な技術が必要であり、十分な強度を確
保するのが難しい。
【０００９】
また、直方体のプリズムのロッドトンネル９８を使用する場合、ロッドトンネル９８の
一方の端面９８１から入射した光は外部にほとんど透過せず、他方の端部９８２より射出
するので光の強度の低下を防ぐことができる。しかしながら、レンズ９４とロッドトンネ
ル９８の間に間隙９４１が形成されていることより、他方の端部９８２に埃、塵やタバコ
の煙等が付着する。塵埃等が付着すると、この塵埃等の像がＤＭＤ（登録商標）９４に結
像し、スクリーンＳｃ上の投写されてしまう。また、ロッドトンネル９８とレンズ９４両
方を支持しなくてはならず、ロッドトンネル９８とレンズ９４の位置関係を一定に保つの
が難しい。
【００１０】
このロッドトンネル９８の他方の端面９８２に塵、埃、タバコの煙等が付着するのを防
止するために、図１０に示すように、ロッドトンネル９８の他方の端面９８２とレンズ９
４の一部を覆うようにカバー９４２を備えたものがある。しかしながら、カバー９４２を
取り付ける場合、ロッドトンネル９８の他方の端面９８２とレンズ９４との位置決め精度
を高くしなくてはならず製造に時間、手間、コストがかかる。さらに、ロッドトンネル９
８とレンズ９４とにカバー９４２を取り付けなくてはならず、組付けにも時間とコストが
かかる。
【００１１】
そこで本発明は、簡単な構成で且つ作業工程を短縮することができ、それだけ、製造コ
ストを低減することができるレンズ接続ロッドトンネル及びそれを用いたプロジェクタを
提供することを目的とする。
【００１２】
また本発明は、光源より照射される光の強度の減衰を抑制することができるレンズ接続
ロッドトンネル及びそれを用いたプロジェクタを提供することを目的とする。
【００１３】
また本発明は、レンズ及びロッドトンネルをプロジェクタに取り付けるときにレンズと
、ロッドトンネルとの相対位置の調節を省くことができ、それだけ、製造時間を短縮する
ことができるレンズ接続ロッドトンネル及びそれを用いたプロジェクタを提供することを
目的とする。
【課題を解決するための手段】
【００１４】
上記目的を達成するために本発明は、白色光を照射する白色ランプと、回転することで
前記白色光をＲ／Ｇ／Ｂの波長の光に分光する円盤状のカラーホイールと、前記液晶フィ
ルタにて分光された光の光束密度を均一化するロッドトンネルと、前記ロッドトンネルを
出射する光の照射範囲を拡大するレンズと、前記レンズを透過した光を反射する反射板を
備えたＤＭＤ（登録商標）と、光を吸収する光吸収板と、光をスクリーンに投影する投影
レンズとを有しており、前記ロッドトンネルは断面長方形のプリズムであり、光が入射す
る端面は無反射処理されており、前記レンズの一方の面は曲面で形成され、他方の面は平
面で形成されており、前記ロッドトンネルの光が出射する端面と前記レンズの平面とは中
心軸が重なるように紫外線硬化性の接着剤で接着されていることを特徴とするプロジェク
タを提供する。
【００１５】
この構成によると、ロッドトンネルとレンズが紫外線硬化性の接着剤で接着固定されて
いるので、前記ロッドトンネルと前記レンズの間に空気の層が介在せず、前記ロッドトン
ネルを透過してきた光の強度はほとんど減衰することなく、又は、わずかに減衰するのみ
でレンズに入射する。それゆえ、光の強度が大幅に減衰することがなく、最終的にスクリ
ーンに明るい像を投射することができる。
【００１６】
また、前記ロッドトンネルと前記レンズの間の空気の層が存在しないので、該ロッドト
ンネルの該レンズと対向する面に埃、塵等の汚れが付着しそれが結像することでおこる画
像の乱れを防ぐことができる。
【００１７】
また、ロッドトンネルとレンズが接着されているので、相対的な位置決めを前記ロッド
トンネル及び前記レンズを組付けるときにやらなくても良いので、組みつけの時間を大幅
に短縮することができる。
【００１８】
上記目的を達成するために本発明は、白色光を照射する白色ランプと、回転することで
前記白色光をＲ／Ｇ／Ｂの波長の光に分光する円盤状のカラーホイールと、前記液晶フィ
ルタにて分光された光の光束密度を均一化するロッドトンネルと、前記ロッドトンネルを
出射する光の照射範囲を拡大するレンズと、前記レンズを透過した光を反射する反射板を
備えたＤＭＤ（登録商標）と、光を吸収する光吸収板と、光をスクリーンに投影する投影
レンズとを有しており、前記ロッドトンネルの光が出射する面と前記レンズとが接続固定
されていることを特徴とするプロジェクタを提供する。
【００１９】
上記構成において、前記ロッドトンネルと前記レンズの接続固定には、紫外線硬化性の
接着剤、熱硬化性の接着剤、溶着等ロッドトンネルとレンズを強固に固定することができ
るものを広く採用することができる。このとき、接着部で前記ロッドトンネルより出射さ
れる光を偏向したり、乱反射させたり、強度を減衰させたりしない方法を用いることが好
ましい。
【００２０】
前記ロッドトンネルと前記レンズを接続するときにロッドトンネルの中心軸とレンズの
中心軸が所定の角度をなすようにしてもよい。前記ロッドトンネルと前記レンズを傾けて
接続することで、光の進路をある程度自由に設定することができるので、レンズ接続ロッ
ドトンネルの設置場所の自由度が高くなり、それだけ、プロジェクタの設計自由度を上げ
ることができる。
【００２１】
このとき、前記ロッドトンネルのレンズと接続する面は前記ロッドトンネルの中心軸に
対して傾いて形成されているものを挙げることができる。このように、レンズと接続する
面が傾いて形成されていることで、前記ロッドトンネルを容易に前記レンズと接続するこ
とができる。また、前記ロッドトンネルは直方体で構成し、前記レンズと前記ロッドトン
ネルの間に三角柱（あるいは、楔形）のプリズムを配置して接続固定するものであっても
よい。この場合、接続面を所定の角度傾けて形成しなくてもよく、それだけ、製造工程を
簡易化することができる。
【００２２】
上記構成において、前記ロッドトンネルと前記レンズとが一体で形成されていてもよい
。このとき、前記ロッドトンネルと前記レンズの素材はそれには限定されないが、樹脂を
挙げることができる。この場合、前記樹脂はレンズ接続ロッドトンネルを設置する場所の
環境（温度、湿度等）に影響されにくいものを採用することが好ましい。一体で形成され
ていることより、強度を高くすることができるとともに、光の強度の減衰を抑制すること
が可能である。樹脂以外にも、一体的に形成できるものを広く採用することができる。
【００２３】
上記目的を達成するために本発明は、入射してきた光の光束密度を均一化するロッドト
ンネルと、一方の面は曲面で、他方の面は平面で形成されたレンズとを有しており、前記
ロッドトンネルの光が入射する面は無反射処理が施されており、前記ロッドトンネルの光
が出射する面と前記レンズの平面とは該ロッドトンネルの中心軸と該レンズの中心軸とが
重なるように紫外線を照射することで硬化する接着剤にて接着固定されていることを特徴
とするレンズ接続ロッドトンネルを提供する。
【００２４】
この構成によると、ロッドトンネルとレンズが紫外線硬化性の接着剤で接着固定されて
いるので、前記ロッドトンネルと前記レンズの間に空気の層が介在せず、前記ロッドトン
ネルを透過してきた光の強度はほとんど減衰することなく、又は、わずかに減衰するのみ
でレンズに入射する。それゆえ、光の強度を大幅に減衰させることがない。
【００２５】
また、前記ロッドトンネルと前記レンズの間の空気の層が存在しないので、該ロッドト
ンネルの該レンズと対向する面に埃、塵等の汚れが付着しそれが結像することでおこる画
像の乱れを防ぐことができる。
【００２６】
また、ロッドトンネルとレンズが接着されているので、相対的な位置決めを前記ロッド
トンネル及び前記レンズを組付けるときにやらなくても良いので、組みつけの時間を大幅
に短縮することができる。
【００２７】
上記目的を達成するために本発明は、入射してきた光の光束密度を均一化するロッドト
ンネルと、一方の面は曲面で、他方の面は平面で形成されたレンズとを有しており、前記
ロッドトンネルの光が出射する面と前記レンズとが接続固定されていることを特徴とする
レンズ接続ロッドトンネルを提供する。
【００２８】
上記構成において、前記ロッドトンネルと前記レンズの接続固定には、紫外線硬化性の
接着剤、熱硬化性の接着剤、溶着等ロッドトンネルとレンズを強固に固定することができ
るものを広く採用することができる。このとき、接着部で前記ロッドトンネルより出射さ
れる光を偏向したり、乱反射させたり、強度を減衰させたりしない方法を用いることが好
ましい。
【００２９】
前記ロッドトンネルと前記レンズを接続するときにロッドトンネルの中心軸とレンズの
中心軸が所定の角度をなすようにしてもよい。前記ロッドトンネルと前記レンズを傾けて
接続することで、光の進路をある程度自由に設定することができるので、レンズ接続ロッ
ドトンネルの設置場所の自由度が高くなる。
【００３０】
このとき、前記ロッドトンネルのレンズと接続する面は前記ロッドトンネルの中心軸に
対して傾いて形成されているものを挙げることができる。このように、レンズと接続する
面が傾いて形成されていることで、前記ロッドトンネルを容易に前記レンズと接続するこ
とができる。また、前記ロッドトンネルは直方体で構成し、前記レンズと前記ロッドトン
ネルの間に三角柱（あるいは、楔形）のプリズムを配置して接続固定するものであっても
よい。この場合、接続面を所定の角度傾けて形成しなくてもよく、それだけ、製造工程を
簡易化することができる。
【００３１】
上記構成において、前記ロッドトンネルと前記レンズとが一体で形成されていてもよい
。このとき、前記ロッドトンネルと前記レンズの素材はそれには限定されないが、樹脂を
挙げることができる。この場合、前記樹脂はレンズ接続ロッドトンネルを設置する場所の
環境（温度、湿度等）に影響されにくいものを採用することが好ましい。一体で形成され
ていることより、強度を高くすることができるとともに、光の強度の減衰を抑制すること
が可能である。樹脂以外にも、一体的に形成できるものを広く採用することができる。
【発明の効果】
【００３２】
本発明によると、簡単な構成で且つ作業工程を短縮することができ、それだけ、製造コ
ストを低減することができるレンズ接続ロッドトンネル及びそれを用いたプロジェクタを
提供することができる。
【００３３】
本発明によると、光源より照射される光の強度の減衰を抑制することができるレンズ接
続ロッドトンネル及びそれを用いたプロジェクタを提供することができる。
【００３４】
さらに本発明によると、レンズ及びロッドトンネルをプロジェクタに取り付けるときに
レンズと、ロッドトンネルとの相対位置の調節を省くことができ、それだけ、製造時間を
短縮することができるレンズ接続ロッドトンネル及びそれを用いたプロジェクタを提供す
ることができる。
【発明を実施するための最良の形態】
【００３５】
以下に本発明の実施形態を図面を参照して説明する。図１に本発明にかかるレンズ一体
型ロッドトンネルを利用したプロジェクタの概略配置図を示す。図１に示すプロジェクタ
Ａは、光源である白色ランプ１と、光をＲＧＢの各成分の波長に順次偏光するカラーホイ
ール２と、光源より出射された光の光束密度を均一化するロッドトンネル３と、ロッドト
ンネル３を通過してきた光の照射範囲を拡大するレンズ４と、光を反射するＤＭＤ（登録
商標）５と、投影レンズ６と、光吸収板７とを有している。光源としてここでは白色ラン
プを採用しているが、白色ランプ以外にもＲＧＢ全ての波長の光を有する光を出射する光
源を広く採用することができる。
【００３６】
カラーホイール２はそれには限定されないがここでは、６分割されており、それぞれ、
光をＲの波長の光を分光するカラーフィルタを備えたＲ領域、Ｇの波長の光を分光するカ
ラーフィルタを備えたＧ領域、Ｂの波長の光を分光するカラーフィルタを備えたＢ領域が
形成されている。ＤＭＤ（登録商標）５は、半導体の上部に反射板を配置した形状を有し
ている。
【００３７】
プロジェクタＡの動作は次のとおりである。光は白色ランプ１よりカラーホイール２に
照射される。カラーホイール２は高速且つ等速で回転しており、カラーホイール２に照射
された光はＲ／Ｇ／Ｂの各領域のいずれかを通過する。このとき、Ｒ領域を透過した光は
赤色の波長の光に偏光され、Ｇ領域を透過した光は緑色の波長の光に偏光され、Ｂ領域を
透過した光は青色の波長の光に偏光される。これらの各色波長の光は連続してロッドトン
ネル３に入射する。
【００３８】
ＤＭＤ（登録商標）５は照射される光を所定の方向に反射するものであり、ロッドトン
ネル３を通過し、レンズ４にて照射範囲が拡大された赤、緑、青の各波長の光のうち必要
なものを投影レンズ６に反射し、不要なものを光吸収板７に反射する。投影レンズ６に入
射した光は拡大されスクリーンＳｃに照射、表示される。カラーホイール３は高速回転し
ており、ＤＭＤ（登録商標）５で選択的に反射されたＲＧＢの各波長の光が順次スクリー
ンに照射されても、人間の目は反射量に対応するＲＧＢの合成した色として認識する。
【００３９】
図２に本発明にかかるレンズ接続ロッドトンネルの斜視図を、図３に図２に示すレンズ
接続ロッドトンネルの分解斜視図を示す。図２に示すレンズ接続ロッドトンネルはロッド
トンネル３とレンズ４とを有している。ロッドトンネル３は断面形状が長方形であり、こ
の長方形はＤＭＤ（登録商標）５の形状を縮小した形状である。この長方形はスクリーン
Ｓｃに投影したときの映像を縮小した形状である。ロッドトンネル３及びレンズ４はそれ
には限定されないがここでは、ガラスで形成されている。
【００４０】
ロッドトンネル３は直方体であり、一方に光が入射する入射面３１が形成されており、
他方に光が出射する出射面３２が形成されている。入射面３１には光が入射するときに入
射面３１での反射を低減し、光強度の減衰を防止するための無反射処理が施されている。
レンズ４は一方が曲面４１で形成されており、他方が平面４２で形成されている。レンズ
４の平面４２の中心部４２１にロッドトンネル３が接続している。
【００４１】
ロッドトンネル３の光の出射面３２はレンズ４の平面４２に接続している。平面４２の
中央部４２１に接着されており、レンズ４の中心軸４０とロッドトンネル３の中心軸３０
が一致するように接続される。ロッドトンネル３の出射面３２とレンズ４の平面４２は、
それには限定されないがここでは、紫外線を照射することで硬化するＵＶ接着剤にて接着
固定されている。
【００４２】
図４に本発明にかかるレンズ接続ロッドトンネルの他の例の斜視図を、図５に図４に示
すレンズ接続ロッドトンネルの側面図を示す。図４に示すロッドトンネル３ａは、レンズ
４の中心軸４０に対して角度θだけ傾いて接続している。図５に示すようにロッドトンネ
ル３ａは、光を出射する出射面３２ａがロッドトンネル３ａの中心軸３０に対し傾けて形
成されている。
【００４３】
図４及び図５に示すように、ロッドトンネル３ａの中心軸３０ａがレンズ４の中心軸４
０に対して角度θ傾けて取り付けられている。これにより、ロッドトンネル３ａへの光の
入射方向を、レンズ４の中心軸４０に対して傾けることができるので、レンズ４の中心軸
４０に対する光の入射角度の自由度が高くなる。また、ロッドトンネル３及びレンズ４の
設置場所の自由度も高くなる。さらに、ロッドトンネル３及びレンズ４を配置するプロジ
ェクタの設計の自由度も高くなる。
【００４４】
図６に示すようにレンズ４とロッドトンネル３の間に三角柱形状を有するのプリズム８
を介在させても良い。このように三角柱形状のプリズム８を利用することでロッドトンネ
ル３の光の出射面３２を中心軸３０に対して傾けて作製しなくても、ロッドトンネル３を
レンズ４の中心軸４０に対して傾けて接続できるので、製作が容易である。
【００４５】
以上の各実施例に示したレンズ接続ロッドトンネルはロッドトンネルとレンズを紫外線
を照射することで硬化し接着固定することができる接着剤を使用するものを例示してきた
が、それに限定されるものではなく、熱硬化性の接着剤等、レンズ接続ロッドトンネルの
使用環境（熱、埃等）で不具合が発生しにくく、光の進行の妨げになりにくい接続方法を
広く採用することができる。また、ロッドトンネル及びレンズは通常ガラス、クリスタル
等で形成される場合が多いが、それに限定されるものでなく、使用環境（熱、埃等）に影
響されにくい素材で形成されるものを広く採用することができる。樹脂等の流動して成形
できる材料を使用する場合、ロッドトンネル及びレンズを一体成形にて形成してもよい。
この方法によると、ロッドトンネルとレンズの間に接着剤等の介在がなく、光の進行を妨
げないので、入射光の強度の減衰を低減することが可能である。
【図面の簡単な説明】
【００４６】
【図１】本発明にかかるレンズ一体型ロッドトンネルを利用したプロジェクタの概略配置図である。
【図２】本発明にかかるレンズ接続ロッドトンネルの斜視図である。
【図３】図２に示すレンズ接続ロッドトンネルの分解斜視図である。
【図４】本発明にかかるレンズ接続ロッドトンネルの他の例の斜視図である。
【図５】図４に示すレンズ接続ロッドトンネルの側面図である。
【図６】本発明にかかるレンズ接続ロッドトンネルのさらに他の例の斜視図である。
【図７】従来のプロジェクタの概略配置図である。
【図８】従来の光学トンネル（ライトトンネル）の一例の斜視図である。
【図９】従来の光学トンネル（ロッドトンネル）の他の例の斜視図である。
【図１０】従来の光学トンネル（ロッドトンネル）のさらに他の例の斜視図である。
【符号の説明】
【００４７】
１  光源
２  カラーホイール
３  ロッドトンネル
４  レンズ
５  ＤＭＤ（登録商標）
６  投影レンズ
７  光吸収板
【図１】
2006133648.tif 000003
【図２】
2006133648.tif 000004
【図３】
2006133648.tif 000005
【図４】
2006133648.tif 000006
【図５】
2006133648.tif 000007
【図６】
2006133648.tif 000008
【図７】
2006133648.tif 000009
【図８】
2006133648.tif 000010
【図９】
2006133648.tif 000011
【図１０】
2006133648.tif 000012